(57)【要約】【課題】  コンテンツデータの貸出機会を喪失することなく、かつ、強固に著作権保護を行うことができるレンタルシステムを提供すること。【解決手段】  本実施形態のＤＶＤレンタルシステム１００は、レンタルショップに配置され、貸出の対象となるコンテンツデータのＤＶＤ−Ｒ２０への記録、当該記録の管理、および、当該ＤＶＤ−Ｒ２０の貸出管理を行う複数の端末装置２００と、ＤＶＤ−Ｒ２０に記録するコンテンツデータのデータ管理を行うサーバ装置３００と、から構成され、端末装置２００は、リムーバブルＨＤ１０からＤＶＤ−Ｒ２０に暗号化コンテンツデータを記録するとともに、各ＤＶＤ−Ｒ２０に形成されたバーコードデータに基づいて当該記録されたコンテンツデータの記録管理を行うようになっている。【選択図】  図１
2006185304.tif 000002
【特許請求の範囲】
【請求項１】
ユーザが所望するコンテンツデータを記録媒体に記録し、当該記録された記録媒体を当該ユーザに貸出す際に、貸出の管理を行うレンタルシステムであって、
前記記録媒体に記録されるコンテンツデータであって、予め定められた暗号化方法により暗号化されたコンテンツデータと当該コンテンツデータの種別を示す種別情報とを取得するコンテンツデータ取得手段と、
前記暗号化されたコンテンツデータを復号するための鍵情報が予め記録されている記録媒体に、予め割り振られた他の記録媒体と識別するための識別情報を形成するとともに前記暗号化されたコンテンツデータを記録する記録手段と、
前記暗号化コンテンツデータが記録される際に、前記記録媒体に形成された識別情報に基づいて前記取得されたコンテンツデータの種別毎に当該コンテンツデータが記録された記録媒体の記録枚数を管理する管理手段と、
を備えることを特徴とするレンタルシステム。
【請求項２】
請求項１に記載のレンタルシステムにおいて、
前記コンテンツデータが記録された記録媒体を前記ユーザに貸出す際に、当該コンテンツデータの種別を示す種別情報と当該貸出の対象となる記録媒体が有する識別情報を取得する貸出情報取得手段と、を更に備え、
前記管理手段が、前記コンテンツデータを前記ユーザに貸出す際に、前記貸出情報取得手段によって取得された識別情報および種別情報に基づいて前記コンテンツデータが記録された記録媒体の貸出回数を管理することを特徴とするレンタルシステム。
【請求項３】
請求項１または２に記載のレンタルシステムにおいて、
前記記録手段が、可視情報として前記識別情報を形成するとともに、当該可視情報が記録される記録媒体における面と異なる面に、前記暗号化されたコンテンツデータを記録することを特徴とするレンタルシステム。
【請求項４】
請求項１乃至３に記載のレンタルシステムにおいて、
前記記録手段が、前記記録媒体に暗号化されたコンテンツデータを記録する際に、前記鍵情報が記録されている記録面と同一の記録面に前記識別情報を形成することを特徴とするレンタルシステム。
【請求項５】
請求項１乃至４の何れか一項に記載のレンタルシステムにおいて、
前記コンテンツデータ取得手段が、前記可搬型情報記録媒体から前記コンテンツデータと種別情報を取得することを特徴とするレンタルシステム。
【請求項６】
請求項１乃至５の何れか一項に記載のレンタルシステムにおいて、
前記記録手段が、前記記録媒体として追記型記録媒体に、前記暗号化されたコンテンツデータを記録するとともに、前記識別情報を形成することを特徴とするレンタルシステム。
【請求項７】
請求項１乃至７の何れか一項に記載のレンタルシステムにおいて、
前記記録手段が、前記鍵情報がピットにて形成されている前記記録媒体に前記暗号化されたコンテンツデータを記録することを特徴とするレンタルシステム。
【請求項８】
請求項２乃至４の何れか一項に記載のレンタルシステムにおいて、
前記貸出情報取得手段が、前記ユーザが前記貸し出された記録媒体が返却された際に、前記識別情報を取得するとともに、前記管理手段が、前記返却された記録媒体の識別情報に基づいて前記各記録媒体の返却状況を管理することを特徴とするレンタルシステム。
【請求項９】
ユーザが所望するコンテンツデータが記録された記録媒体を当該ユーザに貸出す際に、サーバ装置にて各コンテンツデータの貸出管理を行うレンタルシステムに用いられるレンタルシステム用記録装置であって、
前記記録媒体に記録されるコンテンツデータであって、予め定められた暗号化方法により暗号化されたコンテンツデータおよび当該コンテンツデータの種別を示す種別情報を取得するコンテンツデータ取得手段と、
前記暗号化されたコンテンツデータを復号するための鍵情報が予め記録されている記録媒体に、予め割り振られた他の記録媒体と識別するための識別情報を形成するとともに前記暗号化されたコンテンツデータを記録する記録手段と、
当該コンテンツデータが記録された記録媒体の記録枚数を管理するために、前記暗号化コンテンツデータが記録される際に、前記記録媒体に形成された識別情報と当該記録媒体に記録されているコンテンツデータの種別情報を前記サーバ装置に送信する送信手段と、
を備えることを特徴とするレンタルシステム用記録装置。
【発明の詳細な説明】
【技術分野】
【０００１】
本発明は、映画または音楽などのコンテンツデータを可搬性のある記録媒体に記録し、その記録媒体の貸出をする際にその管理を行うレンタルシステムの技術分野に属する。
【背景技術】
【０００２】
従来、映画または音楽などのコンテンツデータは、ビデオテープ、ＣＤ（Compact Disc）、または、ＤＶＤ（Digital Versatile Disc）などの記録媒体に予め記録された状態で貸出の提供が行われている。その一方、最近では、書き換え型ＤＶＤの急速な発展により、レンタルシステムにおいても新たなシステムの導入が検討されはじめている。
【０００３】
このレンタルシステムは、利用者が求めているコンテンツデータを必ず貸出できるようにするために、レンタルショップなどの貸出を行う場所にて、提供するコンテンツデータを記録媒体に記録し、当該記録媒体を提供するようになっている。
【０００４】
具体的には、このレンタルシステムは、暗号化されたコンテンツデータ（以下、暗号コンテンツデータという。）を送受信する通信手段と、受信された暗号化コンテンツデータを蓄積する蓄積手段と、蓄積手段に蓄積されたコンテンツの再生管理を行う管理手段と、再生する際に暗号化コンテンツデータを復号する復号手段と、復号されたコンテンツデータを記録媒体に記録する記録手段と、備え、利用者が予め予約したまたは多くの需要が見込まれるコンテンツデータを記録媒体に記録しておくことにより、利用者が求めているコンテンツデータを必ず貸出できるようになっている（例えば、特許文献１を参照）。
【特許文献１】特開２００４−１３２６１号公報
【発明の開示】
【発明が解決しようとする課題】
【０００５】
しかしながら、上述のレンタルシステムであっては、記録媒体として書き換え型のＤＶＤを用い、各著作権保護のためにコンテンツデータが記録された当該書き換え型ＤＶＤの枚数などの利用状況を管理するようになっているが、随時、記録媒体にコンテンツデータが上書きされてしまうので、実際に貸し出されるＤＶＤを特定し、管理することが的確に行うことができず、各コンテンツデータが記録されたＤＶＤの記録枚数および当該各コンテンツデータの記録回数を正確に把握することが困難になることも生ずる。
【０００６】
そこで、本発明は、上記の課題の一例を解決するものとして、識別情報を有する記録媒体を用い、当該識別情報とともに貸出の対象となるコンテンツデータを管理することによって当該コンテンツデータの貸出機会を喪失することなく、かつ、強固に著作権保護を行うことができるレンタルシステムを提供することにある。
【課題を解決するための手段】
【０００７】
上記の課題を解決するために、本願に係る発明は、ユーザが所望するコンテンツデータを記録媒体に記録し、当該記録された記録媒体を当該ユーザに貸出す際に、貸出の管理を行うレンタルシステムであって、前記記録媒体に記録されるコンテンツデータであって、予め定められた暗号化方法により暗号化されたコンテンツデータと当該コンテンツデータの種別を示す種別情報とを取得するコンテンツデータ取得手段と、前記暗号化されたコンテンツデータを復号するための鍵情報が予め記録されている記録媒体に、予め割り振られた他の記録媒体と識別するための識別情報を形成するとともに前記暗号化されたコンテンツデータを記録する記録手段と、前記暗号化コンテンツデータが記録される際に、前記記録媒体に形成された識別情報に基づいて前記取得されたコンテンツデータの種別毎に当該コンテンツデータが記録された記録媒体の記録枚数を管理する管理手段と、を備える構成を有している。
【発明を実施するための最良の形態】
【０００８】
次に、本願に好適な実施の形態について、図面に基づいて説明する。
【０００９】
なお、以下に説明する実施の形態は、本願の記録媒体にデータの追記が可能なＤＶＤ−Ｒ（Digital Versatile Disc - Recordable）を適用するとともに、本願に係るレンタルシステムを、当該ＤＶＤ−Ｒを用いたレンタルシステム（以下、ＤＶＤレンタルシステムという。）に適用した場合の実施形態である。
【００１０】
まず、図１を用いて本実施形態におけるＤＶＤレンタルシステムの全体の構成および概要動作について説明する。なお、図１は本願に係る本実施形態のＤＶＤレンタルシステムの概要構成を示すブロック図である。
【００１１】
本実施形態のＤＶＤレンタルシステム１００は、図１に示すように、コンテンツデータをユーザに貸出をする各店舗（以下、レンタルショップという。）に配置され、貸出の対象となるコンテンツデータのＤＶＤ−Ｒ２０への記録（以下、単に、記録処理ともいう。）、当該記録の管理、および、当該ＤＶＤ−Ｒ２０の貸出管理を行う複数の端末装置２００と、ＤＶＤ−Ｒ２０に記録するコンテンツデータのデータ管理を行う管理用のサーバ装置（以下、単にサーバ装置という。）３００と、から構成される。
【００１２】
本実施形態の各端末装置２００には、貸出の対象となる暗号化されたコンテンツデータ（以下、暗号化コンテンツデータという。）が可搬型のハードディスク（以下、リムーバブルＨＤという。）１０にて提供されるようになっている。そして、この各端末装置２００は、各レンタルショップにてリムーバブルＨＤ１０からＤＶＤ−Ｒ２０に暗号化コンテンツデータを記録するようになっており、後述するように、各ＤＶＤ−Ｒ２０に形成された識別情報であるバーコードの情報（以下、バーコードデータという。）に基づいて当該記録されたコンテンツデータの記録枚数の管理（以下、記録管理という。）を行うようになっている。また、この端末装置２００は、当該記録されたＤＶＤ−Ｒ（以下、記録済みＤＶＤ−Ｒという。）２０をユーザに貸出す際に、または、当該記録済みＤＶＤ−Ｒ２０を貸出た後に返却された際に、バーコードデータを後述するバーコード読み取り部２０７によって読み取るようになっており、読み取られたバーコードデータにて当該バーコードを有するコンテンツデータの貸出管理を行うようになっている。
【００１３】
一方、この端末装置２００は、記録管理および貸出管理によってコンテンツデータ毎の履歴を管理するようになっており、日毎、週毎または月毎など予め定められたタイミングによって各コンテンツデータ毎の記録履歴と各記録済みＤＶＤ−Ｒ２０毎の貸出履歴の各履歴の情報を履歴情報としてサーバ装置３００に送信するようになっている。そして、本実施形態のサーバ装置３００は、端末装置２００から送信された履歴情報を受信し、当該受信された履歴情報に基づいてＤＶＤレンタルシステム１００における当該コンテンツデータの管理を行うようになっている。
【００１４】
なお、本実施形態にて用いられるＤＶＤ−Ｒ２０には、当該ＤＶＤ−Ｒ２０に記録された暗号化コンテンツデータを復号化して再生する際に、この暗号化コンテンツデータを復号化するための鍵情報が予め記録されており、具体的には、当該鍵情報が所定の領域にピットにて形成されて記録されている。
【００１５】
例えば、コンテンツ鍵、タイトル鍵およびマスター鍵に基づいてコンテンツデータの暗号化処理を行うＣＳＳ（Content Scramble System）の暗号化方式にてコンテンツデータがＤＶＤ−Ｒ２０に記録される場合には、コンテンツ鍵の情報にて暗号化されたタイトル鍵の情報、マスター鍵の情報にて暗号化されたコンテンツ鍵の情報が鍵情報としてＤＶＤ−Ｒ２０の所定の領域に予め記録されている。そして、本実施形態では、この鍵情報、すなわち、暗号化されたタイトル鍵の鍵情報およびコンテンツ鍵の鍵情報は、ピットにて形成され、予め記録されている。
【００１６】
また、本実施形態にて用いられるＤＶＤ−Ｒ２０には、暗号化コンテンツデータおよび鍵情報が記録されている記録面と異なる面、いわゆるレーベル面に予め可視情報として識別情報が形成されている。具体的には、当該ＤＶＤ−Ｒ２０が貸し出されるとき、または、当該貸し出された後に返却されるときに、後述するようにバーコード読み取り部２０７にて当該可視情報を読み取ることによって、貸出に係るまたは返却に係るＤＶＤ−Ｒ２０の識別情報を取得し、当該ＤＶＤ−Ｒ２０の識別を行うようになっている。
【００１７】
さらに、本実施形態にて用いられるＤＶＤ−Ｒ２０には、予め識別情報が割り当てられており、ＤＶＤ−Ｒ２０に暗号化コンテンツデータを記録する際に端末装置２００にて付与され、または、予め各ＤＶＤ−Ｒ２０に記録されている。
【００１８】
一方、リムーバブルＨＤ１０には、複数の暗号化コンテンツデータと少なくとも当該暗号化コンテンツデータの名称を示す名称情報が種別情報として各暗号化コンテンツデータに対応付けられて記録されており、リムーバブルＨＤ１０が端末装置２００に装着されると、当該リムーバブルＨＤ１０に格納されている暗号化コンテンツデータの名称情報は、当該外部に接続された外部装置４０に表示されるようになっている。
【００１９】
以上のように、本実施形態のＤＶＤレンタルシステム１００には、上述のようなリムーバブルＨＤ１０とＤＶＤ−Ｒ２０を用いてコンテンツデータが提供されるとともに、後述のように、識別情報および種別情報に基づき履歴情報の解析を行うことによって、記録管理および貸出管理を行うようになっている。
【００２０】
次に、図２を用いて本実施形態における端末装置２００の具体的な構成について説明する。なお、図２は、本実施形態における端末装置２００の具体的な構成を示すブロック図である。
【００２１】
本実施形態の端末装置２００は、リムーバブルＨＤ１０から暗号化コンテンツデータを読み出すＨＤドライブ２０１と、リムーバブルＨＤ１０から読み出された暗号化コンテンツデータをＤＶＤ−Ｒ２０に記録するとともに、後述するバーコードデータを当該ＤＶＤ−Ｒ２０に形成するＤＶＤ記録部２０２と、暗号化コンテンツデータをリムーバブルＨＤ１０からＤＶＤ−Ｒ２０に記録する際に当該記録処理の認証を行う際に用いる認証用インターフェース（以下、認証用Ｉ／Ｆという。）２０３と、を有し、リムーバブルＨＤ１０に記録されている暗号化コンテンツデータをＤＶＤ−Ｒ２０に記録するようになっている。
【００２２】
また、この端末装置２００は、暗号化コンテンツデータをリムーバブルＨＤ１０からＤＶＤ−Ｒ２０に記録する際にまたは当該コンテンツデータの記録後に、ＤＶＤ−Ｒ２０に記録された暗号化コンテンツデータを読み出して復号化する復号化処理部２０４と、復号化されたコンテンツデータを所定の信号形式に変換し、図示しないモニタなどの外部装置４０に出力する出力処理部２０５と、出力する映像信号に対してＯＳＤ（On screen Display）処理を行うＯＳＤ処理部２０６と、を有し、暗号化コンテンツデータをＤＶＤ−Ｒ２０に記録している際または当該コンテンツデータの記録後に、当該記録しているまたは記録された暗号化コンテンツデータの確認を行うことがができるようになっている。
【００２３】
また、この端末装置２００は、ユーザに暗号化コンテンツデータが記録された記録済みＤＶＤ−Ｒ２０の貸出をするにあたり、当該記録済みＤＶＤ−Ｒ２０に予め形成された識別情報であるバーコードデータを読み取る際に用いられるバーコード読み取り部２０７と、暗号化コンテンツデータがＤＶＤ−Ｒ２０に記録される際に当該暗号化コンテンツデータの記録枚数を含む記録履歴と読み取られたバーコードデータに基づいてコンテンツデータの貸出回数を含む貸出履歴の管理を行うデータ管理部２０８と、通信回線３０を介して履歴情報をサーバ装置３００に送信する端末装置用通信制御部２０９と、を有し、コンテンツデータの貸出管理を行うようになっている。
【００２４】
さらに、この端末装置２００は、暗号化コンテンツデータのＤＶＤ−Ｒ２０への記録および当該記録を行うための各種の設定操作を行う端末装置用操作部２１０と、貸出管理、履歴情報の生成処理（以下、履歴情報生成処理という。）、当該履歴情報の送信処理（以下、履歴情報送信処理という。）を実行する際に各部を制御する端末装置用システム制御部２１１と、所定の処理を行う際に用いられる端末装置用ＲＯＭ／ＲＡＭ２１２と、を有している。
【００２５】
なお、例えば、本実施形態のＨＤドライブ２０１は、本発明のコンテンツデータ取得手段を構成し、ＤＶＤ記録部２０２は、本発明の記録手段を構成する。また、例えば、本実施形態の管理手段は、本発明のデータ管理部２０８を構成し、バーコード読み取り部２０７は、本発明の貸出情報取得手段を構成する。さらに、例えば、本実施形態の端末装置用通信制御部２０９は、本発明の送信手段を構成する。
【００２６】
ＨＤドライブ２０１は、リムーバブルＨＤ１０を着脱可能にするための構造を有するとともに、例えば、ＡＴＡＰＩ（AT Attachment Packet Interface）などの所定の規格に準拠したＨＤ用ドライブインターフェースを有している。また、このＨＤドライブ２０１は、端末装置用システム制御部２１１の制御の下、当該リムーバブルＨＤ１０から暗号化コンテンツデータを読み出すようになっており、読み出された暗号化コンテンツデータを直接ＤＶＤ記録部２０２に出力するようになっている。
【００２７】
なお、ＨＤドライブ２０１は、暗号化コンテンツデータがＤＶＤ−Ｒ２０に記録される際に、当該記録の対象となっている暗号化コンテンツデータの名称情報を種別情報としてデータ管理部２０８に出力するようになっている。
【００２８】
ＤＶＤ記録部２０２は、ＤＶＤ−Ｒ２０が着脱可能な構造を有するとともに、ＡＴＡＰＩ（AT Attachment Packet Interface）などの所定の規格に準拠したＤＶＤ用ドライブインターフェースを有している。また、このＤＶＤ記録部２０２は、端末用システム制御部の制御の下、暗号化コンテンツデータをＤＶＤ−Ｒ２０の予め鍵情報が記録された記録面と同一の面に記録するようになっている。
【００２９】
また、このＤＶＤ記録部２０２は、端末装置用システム制御部２１１の制御の下、暗号化コンテンツデータをＤＶＤ−Ｒ２０に記録する際に、当該暗号化コンテンツデータが記録される記録面と異なる面、すなわち、レーベル面に識別情報として所定のバーコードデータを記録するようになっている。
【００３０】
一方、このＤＶＤ記録部２０２は、ＤＶＤ−Ｒ２０に記録しているまたは記録された暗号化コンテンツデータを確認するために、ＤＶＤ−Ｒ２０から暗号化されたコンテンツデータを読み出し、当該読み出された暗号化コンテンツデータを復号化処理部２０４および出力処理部２０５を介して外部装置４０に出力するようになっている。
【００３１】
また、このＤＶＤ記録部２０２は、バーコードデータの記録を行う際に、暗号化コンテンツデータの種別を示す種別情報とＤＶＤ−Ｒ２０の識別情報とをデータ管理部２０８に出力するようになっている。
【００３２】
認証用Ｉ／Ｆ２０３は、ＩＣカードなどの認証用の記録媒体を着脱可能にするための構造、および、人体における手のひら静脈認証（以下、静脈認証という。）などの認証用の接触装置を有し、暗号化コンテンツデータをリムーバブルＨＤ１０からＤＶＤ−Ｒ２０に記録する際に当該記録処理の認証を行う際に用いるようになっている。具体的には、この認証用Ｉ／Ｆ２０３は、記録処理を行う担当者の認証用の情報（以下、認証情報という。）を端末装置用システム制御部２１１に出力するようになっている。
【００３３】
復号化処理部２０４には、ＤＶＤ記録部２０２から出力された暗号化コンテンツデータが入力される。例えば、コンテンツデータがＣＳＳ方式の暗号化方式にて暗号化されている場合には、復号化処理部２０４は、暗号化コンテンツデータを当該暗号化コンテンツデータとともに読み出した鍵情報に基づいて復号するとともに、復号されたコンテンツデータに対して所定の処理を行い、当該コンテンツデータにおける映像データおよび音声データを生成するようになっている。そして、この復号化処理部２０４は、生成された映像データおよび音声データを出力処理部２０５に出力するようになっている。
【００３４】
出力処理部２０５には、復号された映像データおよび音声データと、ＯＳＤ処理部２０６によって生成された表示データと、が入力されるようになっている。また、この出力処理部は、入力された映像データおよび音声データを所定の信号形式、例えば、ＮＴＳＣ形式の信号形式に変換し、当該変換された映像信号に対して入力された表示データを重畳するようになっている。そして、この出力処理部２０５は、表示データが多重化された映像信号および信号形式が変換された音声信号を映像信号出力端子Ｔ１および音声信号出力端子Ｔ２を介して接続された外部装置４０に出力するようになっている。
【００３５】
なお、例えば、本実施形態では、音声を拡声する機能を有するモニタが外部装置４０として接続されるようになっており、出力処理部２０５から出力された映像信号または音声信号は、当該モニタによって拡声され、および、表示させるようになっている。
【００３６】
ＯＳＤ処理部２０６は、端末装置用システム制御部２１１の制御の下、文字情報等の外部装置４０に出力される映像信号に対して多重化するための表示データを生成し、当該生成された文字情報などの表示データを出力処理部２０５に出力するようになっている。
【００３７】
バーコード読み取り部２０７は、ユーザに暗号化コンテンツデータが記録された記録済みＤＶＤ−Ｒ２０の貸出をするにあたり、当該記録済みＤＶＤ−Ｒ２０に予め形成された識別情報であって、太さの異なる黒いバーや白いスペースの組み合わせにより構成されているバーコードデータを読み取る際に用いられるようになっている。また、このバーコード読み取り部２０７は、読み取られたバーコードデータに基づいて識別情報を認識し、当該認識された識別情報をデータ管理部２０８に出力するようになっている。
【００３８】
データ管理部２０８は、端末用システム制御部の制御の下、暗号化コンテンツデータをＤＶＤ−Ｒ２０に記録する際に、各コンテンツデータ毎のＤＶＤ−Ｒ２０への記録枚数を管理するとともに、記録されているコンテンツデータ、記録日時などの各記録済みＤＶＤ−Ｒ２０の記録履歴の管理を行うようになっている。
【００３９】
具体的には、データ管理部２０８には、ＨＤドライブ２０１から出力されたコンテンツデータの種別情報および予め割り当てられている各ＤＶＤ−Ｒ２０のバーコードデータである識別情報と、後述するように端末装置用システム制御部２１１から出力された認証結果の情報（以下、認証結果情報という。）が入力されるようになっている。また、このデータ管理部２０８は、入力された種別情報および識別情報と認証結果情報とに基づいて、各コンテンツデータ毎のＤＶＤ−Ｒ２０への記録枚数を管理するとともに、記録されているコンテンツデータの名称、記録日時などの各記録済みＤＶＤ−Ｒ２０の記録履歴情報の管理を行うようになっている。
【００４０】
例えば、本実施形態のデータ管理部２０８は、コンテンツデータの種別情報および記録済みＤＶＤ−Ｒ２０の識別情報と認証結果情報に基づいて、コンテンツデータ毎に記録されたＤＶＤ−Ｒ２０の枚数、記録された日時、記録処理を実行した担当者をＤＶＤ−Ｒ２０の識別情報に対応付けて記録履歴情報として管理するようになっている。
【００４１】
一方、データ管理部２０８には、記録済みＤＶＤ−Ｒ２０が貸し出される際に、および、当該記録済みＤＶＤ−Ｒ２０が返却された際に、バーコード読み取り部２０７にて認識された識別情報が入力されるようになっている。このデータ管理部２０８は、入力された識別情報に基づいて各記録済みＤＶＤ−Ｒ２０毎の貸出回数を管理するとともに、貸し出されたユーザの管理などの貸出管理を行うようになっている。
【００４２】
具体的には、本実施形態のデータ管理部２０８は、各記録済みＤＶＤ−Ｒ２０毎の貸出回数、貸し出された日時、貸し出されたユーザ情報の各情報を貸出履歴情報として管理するようになっている。
【００４３】
例えば、本実施形態のデータ管理部２０８は、ＤＶＤ−Ｒ２０に暗号化コンテンツデータが記録された際に、種別情報と識別情報に基づいて、コンテンツデータ毎にかつ各記録済みＤＶＤ−Ｒ２０毎に、貸出履歴情報を生成し、当該記録済みＤＶＤ−Ｒ２０が貸し出された際に、貸出履歴情報の貸出回数を「１」増加させるようになっている。すなわち、記録済みＤＶＤ−Ｒ２０の貸出の際に、バーコード読み取り部２０７にて識別情報が認識されると、データ管理部２０８は、該認識された識別情報に基づいて各コンテンツデータ毎に、かつ、各ＤＶＤ−Ｒ２０毎に生成されている貸出履歴情報を検索し、該当する貸出履歴情報の貸出回数を増加するようになっている。
【００４４】
なお、データ管理部２０８において生成された当該貸出回数を有する貸出履歴情報は、予め定められたタイミングにてサーバ装置３００に送信されるようになっており、送信されると、後述のように、サーバ装置３００によってデータ解析に用いられるようになっている。
【００４５】
他方、データ管理部２０８は、ＤＶＤ−Ｒ２０にコンテンツデータを記録する毎に、日毎、週毎、または、月毎などの予め定められたタイミングにて記録履歴情報および貸出履歴情報を端末装置用通信制御部２０９に出力するようになっており、当該端末装置用通信制御部２０９を介してサーバ装置３００に送信するようになっている。
【００４６】
端末装置用通信制御部２０９には、データ管理部２０８から出力された記録履歴情報および貸出履歴情報が入力されるようになっており、端末装置用システム制御部２１１の制御の下、入力された記録履歴情報および貸出履歴情報を通信回線３０を介してサーバ装置３００に送信するようになっている。
【００４７】
端末装置用操作部２１０は、各種確認ボタン、選択ボタンおよび数字キー等の多数のキーを有するキーボードやマウスなどの入力装置により構成されている。そして、この端末装置用操作部２１０は、暗号化コンテンツデータをＤＶＤ−Ｒ２０に記録する際に、種別情報の入力、記録履歴情報または貸出履歴情報のデータ修正その他の管理を行う際に、用いられるようになっている。
【００４８】
端末装置用システム制御部２１１は、端末装置用ＲＯＭ／ＲＡＭ２１２に格納される制御プログラムを読み出して各処理を実行するとともに、当該端末装置用ＲＯＭ／ＲＡＭ２１２に処理中のデータを一時的に保持することによって、記録処理を含む記録管理に関する処理（以下、記録管理処理という。）および貸出管理に関する処理（以下、貸出管理処理という。）の制御を行うようになっている。
【００４９】
具体的には、本実施形態の端末装置用システム制御部２１１は、記録処理を含む記録管理処理の制御において、各部を制御しつつ、
（１）暗号コンテンツデータを記録することができるＤＶＤ−Ｒ２０であるか否かの確認動作、
（２）認証用Ｉ／Ｆ２０３から出力された記録管理情報に基づく認証処理、
（３）端末装置用操作部２１０を介して選択されたコンテンツデータの記録制御、
（４）ＤＶＤ−Ｒ２０における識別情報の記録制御、および
（５）コンテンツデータの種別情報とＤＶＤ−Ｒ２０の識別情報に基づく記録履歴情報の生成制御を行うようになっている。
【００５０】
例えば、端末装置用システム制御部２１１は、認証Ｉ／Ｆ２０３から出力された認証情報を受信し、受信された認証情報と、端末装置用ＲＯＭ／ＲＡＭ２１２に記録されているＤＶＤ−Ｒ２０に暗号化コンテンツデータを記録することができる担当者の情報と、に基づいて認証処理を行うようになっている。本実施形態では、端末装置用ＲＯＭ／ＲＡＭ２１２には、各担当者毎に、暗証番号、各担当者が有するＩＣカード、および、各担当者の静脈のデータが記憶されており、端末装置用システム制御部２１１は、ＤＶＤ−Ｒ２０に暗号化コンテンツデータが記録される際に入力された認証用情報、暗証番号およびＩＣカードに基づいて暗号化コンテンツデータの記録の適否を判断するようになっている。
【００５１】
なお、端末装置用システム制御部２１１は、上述のように、記録履歴情報を管理するために、認証結果情報をデータ管理部２０８に出力するようになっている。
【００５２】
一方、本実施形態の端末装置用システム制御部２１１は、貸出管理処理の制御において、各部を制御しつつ、
（１）記録済みＤＶＤ−Ｒ２０が貸出された際に貸し出された記録済みＤＶＤ−Ｒ２０の貸出処理、
（２）記録済みＤＶＤ−Ｒ２０が返却された際に返却された記録済みＤＶＤ−Ｒ２０の返却処理、
（３）貸出処理および返却処理に基づく貸出履歴情報の生成制御、および
（４）生成された貸出履歴情報および記録履歴情報のサーバ装置３００への送信制御を行うようになっている。
【００５３】
なお、本実施形態の端末装置用システム制御部２１１における記録管理処理の動作の詳細については後述する。
【００５４】
次に、図３を用いて本実施形態におけるサーバ装置３００の具体的な構成について説明する。なお、図３は、本実施形態におけるサーバ装置３００の具体的な構成を示すブロック図である。
【００５５】
本実施形態のサーバ装置３００は、端末装置２００から送信された記録履歴情報および貸出履歴情報の各履歴情報を受信するサーバ装置用通信制御部３０１と、受信された各履歴情報に基づいて所定の解析処理を実行するデータ解析部３０２と、解析されたデータ（以下、解析データという。）が格納されるデータ格納部３０３と、を有し、受信された履歴情報に基づいて各コンテンツデータ毎の貸出回数を含む各種のデータ解析を行うようになっている。
【００５６】
また、このサーバ装置３００は、主に解析処理が実行される際に各種の操作を行う際に用いられるサーバ装置用操作部３０４と、当該解析処理が実行される際に各種のデータを表示するサーバ装置用表示部３０５と、所定の解析処理および端末装置２００との通信処理を行う際に各部を制御するサーバ装置用システム制御部３０６と、各種の制御時に用いられるサーバ装置用ＲＯＭ／ＲＡＭ３０７と、有し、解析処理後の各種のデータをサーバ装置用表示部３０５に表示するようになっている。
【００５７】
サーバ装置用通信制御部３０１は、サーバ装置用システム制御部３０６の制御の下、端末装置２００から送信された記録履歴情報および貸出履歴情報の各履歴情報を通信回線３０を介して受信するようになっており、受信された各履歴情報をデータ解析部３０２に出力するようになっている。
【００５８】
データ解析部３０２には、サーバ装置用通信制御部３０１において受信された記録履歴情報および貸出履歴情報の各履歴情報が入力されるようになっている。また、このデータ解析部３０２は、サーバ装置用システム制御部３０６の下、入力された各履歴情報に基づいて、予め定められたタイミングにて、または、サーバ装置用操作産の操作に基づいて、各レンタルショップにおいて暗号化コンテンツデータのＤＶＤ−Ｒ２０への記録枚数および当該ＤＶＤ−Ｒ２０における貸出回数、または、各コンテンツデータ毎のＤＶＤ−Ｒ２０への記録枚数および当該ＤＶＤ−Ｒ２０における貸出回数を集計するようになっている。なお、例えば、本実施形態のデータ解析部３０２は、本発明の管理手段を構成する。
【００５９】
一方、このデータ解析部３０２は、上述の記録枚数または記録回数の集計が行われるときに、当該必要な表示データをサーバ装置用表示部３０５にサーバ装置用システム制御部３０６を介して表示させるようになっている。
【００６０】
データ格納部３０３には、データ解析部３０２にて集計された各レンタルショップ毎または各コンテンツデータ毎の記録枚数または貸出回数のデータが日毎、週毎または月毎などの予め定められた期間毎に格納されている。また、このデータ格納部３０３は、サーバ装置用システム制御部３０６を介して入力されたサーバ装置用操作部３０４の操作に基づいて、格納されている記録枚数または貸出回数のデータをサーバ装置用表示部３０５に表示させるようになっている。
【００６１】
サーバ装置用操作部３０４は、各種確認ボタン、選択ボタンおよび数字キー等の多数のキーを有するキーボードやマウスなどの入力装置により構成されている。そして、このサーバ装置用操作部３０４は、記録履歴情報または貸出履歴情報のサーバ装置用表示部３０５への表示の指示行う際に用いられるようになっている。
【００６２】
サーバ装置用表示部３０５は、主に記録履歴情報または貸出履歴情報の各履歴情報の解析結果を表示する際に、または、管理者が各種の操作を行う際に用いられるようになっている。
【００６３】
サーバ装置用システム制御部３０６は、サーバ装置用ＲＯＭ／ＲＡＭ３０７に格納される制御プログラムを読み出して各処理を実行するとともに、当該端末装置用ＲＯＭ／ＲＡＭ２１２に処理中のデータを一時的に保持することによって、データ解析に関する処理（以下、データ解析処理という。）の制御を行うようになっている。
【００６４】
次に、図４および図５を用いて本実施形態の端末装置用システム制御部２１１における記録管理処理の動作について説明する。
【００６５】
なお、図４および図５は、本実施形態の端末装置用システム制御部２１１における記録管理処理の動作を示すフローチャートである。
【００６６】
本動作では、ＤＶＤ−Ｒ２０に記録すべき暗号化コンテンツデータを含む複数の暗号化コンテンツデータが予め記録されているリムーバブルＨＤ１０がＨＤドライブ２０１に格納されているものとする。また、認証用Ｉ／Ｆ２０３は、ＩＣカードスロットおよび静脈認証を行うための装置を具備するものとし、予め記録管理処理を行うことができる担当者の暗証番号、ＩＣカードおよび静脈の各種のデータが端末装置用ＲＯＭ／ＲＡＭ２１２に記憶されているものとする。
【００６７】
さらに、暗号化コンテンツデータを記録すべき各ＤＶＤ−Ｒ２０の識別情報は、当該暗号化コンテンツデータが記録される際に端末装置用システム制御部２１１から割り当てられるようになっている。
【００６８】
なお、本動作では、記録履歴情報のサーバ装置３００への送信に関しては、暗号化コンテンツデータがＤＶＤ−Ｒ２０に記録される毎に信するようになっている。
【００６９】
まず、暗号化コンテンツデータの記録を行う担当者が端末装置用操作部２１０を操作することによって、リムーバブルＨＤ１０に格納されている特定のコンテンツデータを選択して当該暗号化コンテンツデータを記録する旨の指示を行うと、端末装置用システム制御部２１１は、当該指示を検出し（ステップＳ１１）、ＤＶＤ記録部２０２にＤＶＤ−Ｒ２０が装着されているか否かを判断する（ステップＳ１２）。
【００７０】
次いで、ＤＶＤ記録部２０２にＤＶＤ−Ｒ２０が装着されており、端末用システム制御部が、ＤＶＤ−Ｒ２０が装着されていると判断すると、当該端末装置用システム制御部２１１は、装着されているＤＶＤ−Ｒ２０が所定の鍵情報を有するものであるか否かを判断する（ステップＳ１３）。
【００７１】
なお、このとき、ＤＶＤ記録部２０２にＤＶＤ−Ｒ２０が装着されておらず、端末用システム制御部が、ＤＶＤ−Ｒ２０が装着されていないと判断すると、当該端末装置用システム制御部２１１は、本動作を終了させる。
【００７２】
次いで、端末装置用システム制御部２１１が装着されたＤＶＤ−Ｒ２０に所定の鍵情報が記録されていると判断すると、当該端末装置用システム制御部２１１は、認証用Ｉ／Ｆ２０３にＩＣカードが挿入されているか否かを判断し（ステップＳ１４）、当該認証用Ｉ／Ｆ２０３にＩＣカードが挿入されていないと判断した場合には、本動作を終了させる。
【００７３】
次いで、端末装置用システム制御部２１１が、認証用Ｉ／Ｆ２０３にＩＣカードが挿入されていると判断すると、当該端末装置用システム制御部２１１は、挿入されているＩＣカードが正規のＩＣカードであるか否かを判断し（ステップＳ１５）、当該挿入されているＩＣカードが正規のＩＣカードでないと判断した場合には、本動作を終了させる。
【００７４】
例えば、本実施形態では、予め記録管理処理を行うことができる担当者毎に正規のＩＣカードであって、当該担当者毎にＩＣカードの識別番号にて認証を行うようにしてもよいし、ただ単に、正規のＩＣカードが否かを判断するようにしてもよい。
【００７５】
次いで、端末装置用システム制御部２１１が挿入されているＩＣカードが正規のＩＣカードであると判断すると、当該端末装置用システム制御部２１１は、暗証番号の入力を促す告知を担当者に行い、その入力を待機する（ステップＳ１６）。
【００７６】
例えば、本実施形態では、端末装置用システム制御部２１１は、端末装置２００に接続された外部装置４０に暗証番号を入力する旨の表示を行うようにＯＳＤ処理部２０６を制御する。
【００７７】
次いで、端末装置用操作部２１０を介して端末装置用システム制御部２１１に暗証番号が入力されると、当該端末装置用システム制御部２１１は、入力された暗証番号と端末装置用ＲＯＭ／ＲＡＭ２１２に記憶されている認証用データとを照合してその正誤を判断し（ステップＳ１７）、入力された暗証番号が誤りであると判断した場合には本動作を終了する。
【００７８】
次いで、端末装置用システム制御部２１１が入力された暗証番号が正しいと判断すると、当該端末装置用システム制御部２１１は、静脈認証を行う旨の告知を担当者に行い、その入力を待機する（ステップＳ１８）。
【００７９】
例えば、本実施形態では、暗証番号の入力時と同様に、端末装置用システム制御部２１１は、端末装置２００に接続された外部装置４０に認証用Ｉ／Ｆ２０３の所定の位置に担当者の掌を置く旨の表示を行うようにＯＳＤ処理部２０６を制御する。
【００８０】
次いで、認証用Ｉ／Ｆ２０３が担当者の掌を認識すると、端末装置用システム制御部２１１は、認識された掌のデータと端末装置用ＲＯＭ／ＲＡＭ２１２に記憶されている認証用データとを照合してその正誤を判断し（ステップＳ１９）、認識された掌が誤りであると判断された場合には本動作を終了する。
【００８１】
次いで、端末装置用システム制御部２１１が認識された掌が正しいと判断されると、当該端末装置用システム制御部２１１は、ＨＤドライブ２０１とＤＶＤ記録部２０２を制御して、リムーバブルＨＤ１０から暗号化コンテンツデータを読み出すとともに、ＤＶＤ−Ｒ２０に当該読み出された暗号化コンテンツデータを記録する（ステップＳ２０）。
【００８２】
次いで、端末装置用システム制御部２１１は、ＤＶＤ−Ｒ２０への暗号化コンテンツデータの記録が終了すると、当該ＤＶＤ−Ｒ２０の記録状況を確認し、正しく暗号化コンテンツデータがＤＶＤ−Ｒ２０に記録されているか否かを判断する（ステップＳ２１）。
【００８３】
このとき、端末装置用システム制御部２１１がＤＶＤ−Ｒ２０には正しく暗号化コンテンツデータが記録されていないと判断すると、端末装置用システム制御部２１１は、再試行を促す表示を端末装置２００に接続された外部装置４０に表示させるようＯＳＤ処理部２０６を制御し（ステップＳ２２）、ステップＳ１１の処理に移行する。
【００８４】
一方、端末装置用システム制御部２１１がＤＶＤ−Ｒ２０には正しく暗号化コンテンツデータが記録されていると判断すると、当該端末装置用システム制御部２１１は、当該記録された暗号化コンテンツデータの名称情報を予め割り当てられているＤＶＤ−Ｒ２０の識別情報および認証結果情報に基づいて、バーコードおよびコンテンツデータのタイトルなど、所定の情報を形成させる（ステップＳ２３）。
【００８５】
例えば、本実施形態では、ＤＶＤ記録部２０２は、暗号化コンテンツデータと同様に、レーザによりレーベル面に所定の情報を記録することによってバーコードその他の情報を形成してもよいし、インクジェット方式などの所定の印刷方法によってバーコードその他の情報を形成してもよい。
【００８６】
次いで、端末装置用システム制御部２１１は、リムーバブルＨＤ１０から取得された種別情報、識別情報および認証結果情報に基づいてデータ管理部２０８に記録履歴情報を生成させる（ステップＳ２４）。
【００８７】
このとき、データ管理部２０８は、リムーバブルＨＤ１０から取得された種別情報、端末装置用システム制御部２１１にて予め割り当てられているＤＶＤ−Ｒ２０の識別情報および当該端末装置用システム制御部２１１から出力された認証結果情報に基づいて記録履歴情報を生成する。
【００８８】
最後に、端末装置用システム制御部２１１は、端末装置用通信制御部２０９に生成された記録履歴情報をサーバ装置３００に送信させるとともに（ステップＳ２５）、当該記録履歴情報をデータ管理部２０８の内部に格納させ、本動作を終了させる。
【００８９】
以上本実施形態によれば、本実施形態のＤＶＤレンタルシステム１００は、ユーザが所望するコンテンツデータを記録媒体に記録し、当該記録された記録媒体を当該ユーザに貸出す際に、貸出の管理を行うＤＶＤレンタルシステム１００であって、記録媒体に記録されるコンテンツデータであって、予め定められた暗号化方法により暗号化されたコンテンツデータと当該コンテンツデータの種別を示す種別情報とを取得するＨＤドライブ２０１と、暗号化されたコンテンツデータを復号するための鍵情報が予め記録されている記録媒体に、予め割り振られた他の記録媒体と識別するための識別情報を形成するとともに暗号化されたコンテンツデータを記録するＤＶＤ記録部２０２と、暗号化コンテンツデータが記録される際に、記録媒体に形成された識別情報に基づいて取得されたコンテンツデータの種別毎に当該コンテンツデータが記録された記録媒体の記録枚数を管理するデータ管理部２０８と、を備える。
【００９０】
この構成により、本実施形態のＤＶＤレンタルシステム１００は、暗号化されたコンテンツデータを復号するための鍵情報が予め記録されている記録媒体に、予め割り振られた他の記録媒体と識別するための識別情報を形成するとともに暗号化されたコンテンツデータを記録し、暗号化コンテンツデータが記録される際に、記録媒体に形成された識別情報に基づいて取得されたコンテンツデータの種別毎に当該コンテンツデータが記録された記録媒体の記録枚数を管理する。
【００９１】
すなわち、本実施形態のＤＶＤレンタルシステム１００は、コンテンツデータの貸出が行われるレンタルショップなどの貸出提供先において、当該コンテンツデータが記録媒体に記録されて当該記録媒体が貸出される場合に、記録媒体毎に識別情報を形成するとともに、コンテンツデータを記録する。
【００９２】
したがって、本実施形態のＤＶＤレンタルシステム１００は、レンタルショップなどのコンテンツデータの貸出提供先において、コンテンツデータが記録された記録媒体が無い場合であっても、当該記録媒体をユーザに提供することができるとともに、コンテンツデータが記録媒体に記録される際に、コンテンツデータが記録された記録媒体を当該各記録媒体に毎に管理することができる。この結果、本実施形態のＤＶＤレンタルシステム１００は、当該コンテンツデータの貸出機会を喪失することなく、かつ、強固に著作権保護を行うことができる。
【００９３】
また、本実施形態のＤＶＤレンタルシステム１００は、コンテンツデータが記録された記録媒体をユーザに貸出す際に、当該コンテンツデータの種別を示す種別情報と当該貸出の対象となる記録媒体が有する識別情報を取得するバーコード読み取り手段と、を更に備え、データ管理部２０８が、コンテンツデータをユーザに貸出す際に、バーコード読み取り手段によって取得された識別情報および種別情報に基づいてコンテンツデータが記録された記録媒体の貸出回数を管理する構成を有している。
【００９４】
この構成により、本実施形態のＤＶＤレンタルシステム１００は、コンテンツデータをユーザに貸出す際に、バーコード読み取り手段によって取得された識別情報および種別情報に基づいてコンテンツデータが記録された記録媒体の貸出回数を管理する。
【００９５】
したがって、本実施形態のＤＶＤレンタルシステム１００は、レンタルショップなどのコンテンツデータの貸出提供先において、コンテンツデータが記録された記録媒体が無い場合であっても、コンテンツデータが記録された記録媒体を当該各記録媒体に毎に管理することができとともに、コンテンツデータが記録された記録媒体の貸出回数をも管理することができる。この結果、本実施形態のＤＶＤレンタルシステム１００は、一度コンテンツデータを記録媒体に記録すれば、繰り返し使用することができるので、当該コンテンツデータの貸出機会を喪失することなく、かつ、強固に著作権保護を行うことができる。
【００９６】
また、本実施形態のＤＶＤレンタルシステム１００は、ＤＶＤ記録部２０２が、可視情報として識別情報を形成するとともに、当該可視情報が記録される記録媒体における面と異なる面に、暗号化されたコンテンツデータを記録する構成を有している。
【００９７】
この構成により、本実施形態のＤＶＤレンタルシステム１００は、可視情報として識別情報を形成するとともに、当該可視情報が記録される記録媒体における面と異なる面に、暗号化されたコンテンツデータを記録する。
【００９８】
したがって、本実施形態のＤＶＤレンタルシステム１００は、当該コンテンツデータが記録された記録媒体を視覚により認識することできるので、容易に、かつ、的確に記録媒体に記録されているコンテンツデータを特定することができる。
【００９９】
また、本実施形態のＤＶＤレンタルシステム１００は、ＨＤドライブ２０１が、リムーバブルＨＤ１０からコンテンツデータと種別情報を取得する構成を有している。
【０１００】
この構成により、本実施形態のＤＶＤレンタルシステム１００は、可搬型の記録媒体からコンテンツデータを取得することできるので、容易に、かつ、的確にコンテンツデータを入手することができる。
【０１０１】
また、本実施形態のＤＶＤレンタルシステム１００は、ＤＶＤ記録部２０２が、記録媒体として追記型記録媒体に、暗号化されたコンテンツデータを記録するとともに、識別情報を形成する構成を有している。
【０１０２】
この構成により、本実施形態のＤＶＤレンタルシステム１００は、記録媒体として追記型記録媒体に、暗号化されたコンテンツデータを記録するとともに、識別情報を形成するので、コンテンツデータを特定の記録媒体に記録することとなるので、著作権管理を容易に行うことができる。
【０１０３】
また、本実施形態のＤＶＤレンタルシステム１００は、ＤＶＤ記録部２０２が、鍵情報がピットにて形成されている記録媒体に暗号化されたコンテンツデータを記録する構成を有している。
【０１０４】
この構成により、本実施形態のＤＶＤレンタルシステム１００は、鍵情報がピットにて形成されている記録媒体に暗号化されたコンテンツデータを記録するので、鍵情報も用いた汎用の記録媒体の再生装置に暗号化方法および鍵情報を適用すれば、コンテンツデータを記録する際の時間が短縮することができるとともに、コンテンツデータを取得する際には、当該コンテンツデータの再生が不可能となっているので、強固な著作権管理を容易に行うことができる。
【０１０５】
また、本実施形態のＤＶＤレンタルシステム１００は、バーコード読み取り手段が、ユーザが貸し出された記録媒体が返却された際に、識別情報を取得するとともに、データ管理部２０８が、返却された記録媒体の識別情報に基づいて各記録媒体の返却状況を管理する構成を有している。
【０１０６】
この構成により、本実施形態のＤＶＤレンタルシステム１００は、返却された記録媒体の識別情報に基づいて各記録媒体の返却状況を管理するので、コンテンツデータの管理を的確に行うことができる。
【０１０７】
なお、本実施形態では、ＤＶＤ記録部２０２が可視情報として識別情報を形成するとともに、当該可視情報が記録される記録媒体における面と異なる面に、すなわち、レーベル面に識別情報を記録するようになっているが、当該鍵情報が記録されている記録面、すなわち、コンテンツデータが記録されている記録面と同一の面に識別情報を形成してもよい。
【０１０８】
この場合には、ユーザに記録済みＤＶＤ−Ｒ２０を貸出す際に、バーコード読み取り部２０７に代えて当該ＤＶＤ−Ｒ２０に記録された識別情報を読み出す読み出し装置を用いる。
【０１０９】
また、本実施形態では、ＤＶＤ−Ｒ２０に形成されているバーコードデータは、暗号化コンテンツデータを記録する際に可視情報として記録面と異なる面に記録して形成させるようになっているが、勿論、予めＤＶＤ−Ｒ２０に形成されていてもよい。
【０１１０】
また、本実施形態では、ＤＶＤ−Ｒ２０には識別情報が可視情報として形成されているが、勿論、視覚的に認識することのできる形式によって当該識別情報が形成されていてもよい。
【０１１１】
また、本実施形態では、各種の鍵情報をＤＶＤ−Ｒ２０に予め記録するようになっているが、当該鍵情報をコンテンツデータとともに記録するようにしてもよい。
【０１１２】
また、本実施形態では、端末装置２００のデータ管理部２０８において、記録管理処理時の記録履歴情報を生成するようになっているが、記録処理を行う際に端末装置２００とサーバ装置３００とにおいて通信回線３０が接続され、当該記録履歴情報をサーバ装置３００、例えば、データ解析部３０２において生成するようにしてもよい。
【０１１３】
また、本実施経緯のＤＶＤ記録部２０２は、暗号化コンテンツデータを記録しつつ、バーコードデータを形成してもよいし、当該暗号化コンテンツデータが記録される前後に行われるようにしてもよい。
【０１１４】
また、本実施形態では、種別情報としてコンテンツデータの名称情報をＨＤドライブ２０１を介して取得するようになっているが、勿論、記録処理を行う担当者が端末装置用操作部２１０を用いて端末装置用システム制御部２１１に入力するようにしてもよい。この場合に、データ管理部２０８には端末装置用システム制御部２１１を介して種別情報が入力されるようになる。そして、例えば、本実施形態の端末装置用システム制御部２１１は、本発明の取得手段を構成することになる。
【０１１５】
また、本実施形態では、コンテンツデータを記録媒体に記録する暗号化方法としてＣＳＳを用いているので、貸し出されたＤＶＤ−Ｒ２０の再生に関して再生する装置を選ばないので、汎用性が高いＤＶＤレンタルシステム１００を構築することができる。
【図面の簡単な説明】
【０１１６】
【図１】本願に係る一実施形態のＤＶＤレンタルシステムの概要構成を示すブロック図である。
【図２】一実施形態のＤＶＤレンタルシステムにおける端末装置の具体的な構成を示すブロック図である。
【図３】一実施形態のＤＶＤレンタルシステムにおけるサーバ装置の具体的な構成を示すブロック図である。
【図４】一実施形態の端末用システム制御部における記録管理処理の動作を示すフローチャート（Ｉ）である。
【図５】一実施形態の端末用システム制御部における記録管理処理の動作を示すフローチャート（II）である。
【符号の説明】
【０１１７】
１０  …  リムーバブルＨＤ
２０  …  ＤＶＤ−Ｒ
１００  …  ＤＶＤレンタルシステム
２００  …  端末装置
２０１  …  ＨＤドライブ
２０２  …  記録装置
２０３  …  認証用Ｉ／Ｆ
２０４  …  復号化処理部
２０５  …  出力処理部
２０６  …  端末装置用ＯＳＤ処理部
２０７  …  バーコード読み取り部
２０８  …  データ管理部
２０９  …  端末装置用通信制御部
２１０  …  端末装置用操作部
２１１  …  端末装置用システム制御部
２１２  …  端末装置用ＲＯＭ／ＲＡＭ
３００  …  サーバ装置
３０１  …  サーバ装置用通信制御部
３０２  …  データ解析部
３０３  …  データ格納部
３０４  …  サーバ装置用操作部
３０５  …  サーバ装置用表示部
３０６  …  サーバ装置用システム制御部３０６
３０７  …  サーバ装置用ＲＯＭ／ＲＡＭ
【図１】
2006185304.tif 000003
【図２】
2006185304.tif 000004
【図３】
2006185304.tif 000005
【図４】
2006185304.tif 000006
【図５】
2006185304.tif 000007